(57)【特許請求の範囲】
【請求項１】
上りリンク電力制御方法であって、
端末機器はネットワーク側からの第１の指示情報を受信し、ただし前記第１の指示情報は前記端末機器が下りリンクパス損失推定を利用して上りリンク信号の送信電力を得るか否かを指示するためのものであることと、
前記第１の指示情報は前記端末機器が下りリンクパス損失推定を利用して上りリンク信号の送信電力を得ることを指示する場合、
前記端末機器は下りリンクパス損失の推定を行うための目標下りリンク信号を確定することと、
前記端末機器は前記目標下りリンク信号に基づき下りリンクパス損失の推定を行って、下りリンクパス損失の推定値を得ることと、
前記端末機器は前記下りリンクパス損失の推定値に基づき前記上りリンク信号の送信電力を確定することと、
前記第１の指示情報は前記端末機器が下りリンクパス損失推定を利用して上りリンク信号の送信電力を得ることを行わないことを指示する場合、
前記端末機器は前に確定された上りリンク信号の送信電力を前記上りリンク信号の送信電力とすることと、
前記端末機器は前記送信電力に基づき前記上りリンク信号を送信することとを含むことを特徴とする上りリンク電力制御方法。
【請求項２】
前記目標下りリンク信号は、チャネル状態情報参照信号ＣＳＩ−ＲＳ、モビリティ参照信号ＭＲＳ、同期信号ＳＳ、位相トラッキング参照信号ＰＴＲＳ、復調参照信号ＤＭＲＳのうちの少なくとも１つを含むことを特徴とする請求項１に記載の方法。
【請求項３】
前記端末機器が下りリンクパス損失の推定を行うための目標下りリンク信号を確定することは、
前記端末機器は前記ネットワーク側からの第２の指示情報を受信し、前記第２の指示情報に基づき前記目標下りリンク信号を確定することを含むことを特徴とする請求項１又は２に記載の方法。
【請求項４】
前記端末機器が前記目標下りリンク信号に基づき下りリンクパス損失の推定を行うことは、
前記端末機器は前記目標下りリンク信号の受信電力及び送信電力に基づき、下りリンクパス損失の推定を行うことを含むことを特徴とする請求項１−３のいずれか１項に記載の方法。
【請求項５】
前記端末機器が前記目標下りリンク信号の受信電力及び送信電力に基づき、下りリンクパス損失の推定を行うことは、
前記目標下りリンク信号の数量が１より大きい場合、各目標下りリンク信号の受信電力の平均値を算出し、前記平均値及び各目標下りリンク信号の送信電力に基づき、前記下りリンクパス損失の推定値を確定するか、又は、それぞれの目標下りリンク信号の受信電力及び送信電力に基づきそれぞれの目標下りリンク信号に対応するパス損失の推定値を確定し、各目標下りリンク信号に対応するパス損失の推定値の平均を取ることにより、前記下りリンクパス損失の推定値を得ることを含むことを特徴とする請求項４に記載の方法。
【請求項６】
前記端末機器が前記目標下りリンク信号に基づき下りリンクパス損失の推定を行うことは、
前記端末機器は最新の受信されたチャネルサウンディング参照信号リソース指示ＳＲＩ情報によって指示されるチャネルサウンディング参照信号ＳＲＳリソースにおいてＳＲＳ信号を送信するために用いる送信ビームに基づき、前記目標下りリンク信号を受信するための受信ビームを確定し、受信された前記目標下りリンク信号に基づき下りリンクパス損失の推定を行うことを含むことを特徴とする請求項１−３のいずれか１項に記載の方法。
【請求項７】
前記端末機器が前記目標下りリンク信号に基づき下りリンクパス損失の推定を行うことは、
前記端末機器は前記目標下りリンク信号の一部のアンテナポートに基づき下りリンクパス損失の推定を行うことを含むことを特徴とする請求項１−３のいずれか１項に記載の方法。
【請求項８】
端末機器であって、下りリンク信号確定ユニットと、下りリンクパス損失推定ユニットと、送信電力確定ユニットと、上りリンク信号送信ユニットとを含み、
前記下りリンク信号確定ユニットは、ネットワーク側からの第１の指示情報を受信するために用いられ、ただし前記第１の指示情報は前記端末機器が下りリンクパス損失推定を利用して上りリンク信号の送信電力を得るか否かを指示するためのものであり、前記第１の指示情報は前記端末機器が下りリンクパス損失推定を利用して上りリンク信号の送信電力を得ることを指示する場合、下りリンクパス損失の推定を行うための目標下りリンク信号を確定するために用いられ、
前記下りリンクパス損失推定ユニットは、前記目標下りリンク信号に基づき下りリンクパス損失の推定を行って、下りリンクパス損失の推定値を得るために用いられ、
前記送信電力確定ユニットは、前記第１の指示情報は前記端末機器が下りリンクパス損失推定を利用して上りリンク信号の送信電力を得ることを指示する場合、前記下りリンクパス損失の推定値に基づき前記上りリンク信号の送信電力を確定し、前記第１の指示情報は前記端末機器が下りリンクパス損失推定を利用して上りリンク信号の送信電力を得ないことを指示する場合、前に確定された上りリンク信号の送信電力を前記上りリンク信号の送信電力とするために用いられ、
前記上りリンク信号送信ユニットは、前記送信電力に基づき前記上りリンク信号を送信するために用いられることを特徴とする端末機器。
【請求項９】
前記目標下りリンク信号は、チャネル状態情報参照信号ＣＳＩ−ＲＳ、モビリティ参照信号ＭＲＳ、同期信号ＳＳ、位相トラッキング参照信号ＰＴＲＳ、復調参照信号ＤＭＲＳを含むことを特徴とする請求項８に記載の端末機器。
【請求項１０】
前記下りリンク信号確定ユニットはさらに前記ネットワーク側からの第２の指示情報を受信し、前記第２の指示情報に基づき下りリンクパス損失の推定を行うための目標下りリンク信号を確定するように配置され、
前記第２の指示情報には、前記目標下りリンク信号の予め設定された複数の下りリンク信号におけるインデックスを指示するための、前記目標下りリンク信号のインデックス情報が付随されることを特徴とする請求項８又は９に記載の端末機器。
【請求項１１】
前記下りリンクパス損失推定ユニットはさらに、前記目標下りリンク信号の受信電力及び送信電力に基づき、下りリンクパス損失の推定を行うように配置されたことを特徴とする請求項８−１０のいずれか１項に記載の端末機器。
【請求項１２】
前記目標下りリンク信号の数量が１より大きい場合、前記下りリンクパス損失推定ユニットはさらに各目標下りリンク信号の受信電力の平均値を算出し、前記平均値及び各目標下りリンク信号の送信電力に基づき、前記下りリンクパス損失の推定値を確定するか、又は、それぞれの目標下りリンク信号の受信電力及び送信電力に基づきそれぞれの目標下りリンク信号に対応するパス損失の推定値を確定し、各目標下りリンク信号に対応するパス損失の推定値の平均を取ることにより、前記下りリンクパス損失の推定値を得るように配置されたことを特徴とする請求項１１に記載の端末機器。
【請求項１３】
前記下りリンクパス損失推定ユニットはさらに最新の受信されたチャネルサウンディング参照信号リソース指示ＳＲＩ情報によって指示されるチャネルサウンディング参照信号ＳＲＳリソースにおいてＳＲＳ信号を送信するために用いる送信ビームに基づき、前記目標下りリンク信号を受信するための受信ビームを確定し、受信された前記目標下りリンク信号に基づき下りリンクパス損失の推定を行うように配置されたことを特徴とする請求項８−１０のいずれか１項に記載の端末機器。
【請求項１４】
前記下りリンクパス損失推定ユニットはさらに前記目標下りリンク信号の一部のアンテナポートに基づき下りリンクパス損失の推定を行うように配置されたことを特徴とする請求項８−１０のいずれか１項に記載の端末機器。
【発明の詳細な説明】
【技術分野】
【０００１】
本発明は、無線ネットワーク技術に関し、特に、上りリンク電力制御方法、機器及びシステムに関する。
【背景技術】
【０００２】
従来のロングタームエボリューション（ＬＴＥ、Ｌｏｎｇ  Ｔｅｒｍ  Ｅｖｏｌｕｔｉｏｎ）システムで、端末機器が上りリンク信号の送信電力を確定する際、下りリンク信号に基づき下りリンクパス損失の推定を行い、下りリンクパス損失に基づきパス損失補償を行って上りリンク信号の送信電力を確定する必要がある。
【０００３】
ＬＴＥシステムで下りリンクパス損失の推定を行うための下りリンク信号は、ナローバンドの送信又は受信ビームフォーミングを行わないため、得られた下りリンクパス損失を用いて上りリンクパス損失を推定することができる。
【０００４】
ニューラジオ（ＮＲ、Ｎｅｗ  Ｒａｄｉｏ）システムで、上りリンク・下りリンク信号を伝送するにはいずれもナローバンドのビームフォーミングを行うため、上りリンクパス損失と下りリンクパス損失は一致しない可能性が高い、すなわち下りリンク信号に基づき得られる下りリンクパス損失と実際の上りリンクパス損失との間に大きな差を有する可能性がある。そのため、上りリンクのパス損失補償には直接利用できない、すなわち上りリンク電力制御に直接利用できない。
【０００５】
従って、ビームフォーミングのシーンでどのように上りリンク電力制御を行うかは、早急に解決すべき課題となる。
【発明の概要】
【発明が解決しようとする課題】
【０００６】
本発明は上記現状に鑑みてなされるものであり、上りリンク電力制御方法、機器及びシステムを提供する。
【課題を解決するための手段】
【０００７】
具体的な技術的解決手段は以下のとおりである。
上りリンク電力制御方法であって、
端末機器は下りリンクパス損失の推定を行うための目標下りリンク信号を確定することと、
前記端末機器は前記目標下りリンク信号に基づき下りリンクパス損失の推定を行って、下りリンクパス損失の推定値を得ることと、
前記端末機器は前記下りリンクパス損失の推定値に基づき上りリンク信号の送信電力を確定することと、
前記端末機器は前記送信電力に基づき前記上りリンク信号を送信することとを含む。
【０００８】
上りリンク電力制御方法であって、
ネットワーク側機器は目標下りリンク信号を送信することにより、端末機器が前記目標下りリンク信号に基づき下りリンクパス損失の推定を行い、下りリンクパス損失の推定結果に基づき上りリンク信号の送信電力を確定することを含む。
【０００９】
端末機器であって、下りリンク信号確定ユニットと、下りリンクパス損失推定ユニットと、送信電力確定ユニットと、上りリンク信号送信ユニットとを含む。
前記下りリンク信号確定ユニットは、下りリンクパス損失の推定を行うための目標下りリンク信号を確定するために用いられる。
前記下りリンクパス損失推定ユニットは、前記目標下りリンク信号に基づき下りリンクパス損失の推定を行って、下りリンクパス損失の推定値を得るために用いられる。
前記送信電力確定ユニットは、前記下りリンクパス損失の推定値に基づき上りリンク信号の送信電力を確定するために用いられる。
前記上りリンク信号送信ユニットは、前記送信電力に基づき前記上りリンク信号を送信するために用いられる。
【００１０】
ネットワーク側機器であって、下りリンク信号送信ユニットを含む。
前記下りリンク信号送信ユニットは、目標下りリンク信号を送信することにより、端末機器が前記目標下りリンク信号に基づき下りリンクパス損失の推定を行い、下りリンクパス損失の推定結果に基づき上りリンク信号の送信電力を確定するために用いられる。
【００１１】
上りリンク電力制御システムであって、
上記端末機器と上記ネットワーク側機器を含む。
【発明の効果】
【００１２】
上記説明から分かるように、本発明による技術的解決手段を利用する場合、端末機器はまず、下りリンクパス損失の推定を行うための目標下りリンク信号を確定し、確定した目標下りリンク信号に基づき下りリンクパス損失の推定を行うことにより、下りリンクパス損失の推定値を得て、次に、下りリンクパス損失の推定値に基づき上りリンク信号の送信電力を確定し、確定した送信電力に基づき上りリンク信号の送信を行うことにより、ビームフォーミングシーンにおける上りリンク電力制御を実現し、システムの性能が向上する。
【図面の簡単な説明】
【００１３】
【図１】本発明による上りリンク電力制御方法の実施例のフローチャートである。
【図２】本発明による端末機器の実施例の構成を概略的に示す図である。
【図３】本発明によるネットワーク側機器の実施例の構成を概略的に示す図である。
【図４】本発明による上りリンク電力制御システムの実施例の構成を概略的に示す図である。
【発明を実施するための形態】
【００１４】
以下、本発明の目的、技術的解決手段及び利点をより明瞭にするために、各図及び具体的な実施例を用いて本発明を詳細に説明する。
【００１５】
図１は、本発明による上りリンク電力制御方法の実施例のフローチャートである。図１に示すように、以下の１０１〜１０４による具体的な実現形態を含む。
１０１において、端末機器は下りリンクパス損失の推定を行うための目標下りリンク信号を確定する。
１０２において、端末機器は目標下りリンク信号に基づき下りリンクパス損失の推定を行って、下りリンクパス損失の推定値を得る。
１０３において、端末機器は下りリンクパス損失の推定値に基づき上りリンク信号の送信電力を確定する。
１０４において、端末機器は確定した送信電力に基づき上りリンク信号を送信する。
【００１６】
ただし、前記目標下りリンク信号は、チャネル状態情報参照信号（ＣＳＩ−ＲＳ、Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌｓ）、モビリティ参照信号（ＭＲＳ、Ｍｏｂｉｌｉｔｙ  Ｒｅｆｅｒｅｎｃｅ  Ｓｉｇｎａｌ）、同期信号（ＳＳ、Ｓｙｎｃｈｒｏｎｏｕｓ  Ｓｉｇｎａｌ）、位相トラッキング参照信号（ＰＴＲＳ、Ｐｈａｓｅ  ｔｒａｃｋｉｎｇ  ｒｅｆｅｒｅｎｃｅ  ｓｉｇｎａｌ）、復調参照信号（ＤＭＲＳ、Ｄｅｍｏｄｕｌａｔｉｏｎ  Ｒｅｆｅｒｅｎｃｅ  Ｓｉｇｎａｌ）等を含んでもよい。
【００１７】
前記上りリンク信号は、物理上りリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）信号、物理上りリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）信号、チャネルサウンディング参照信号（ＳＲＳ、Ｓｏｕｎｄｉｎｇ  Ｒｅｆｅｒｅｎｃｅ  Ｓｉｇｎａｌ）等を含んでもよい。
【００１８】
異なる上りリンク信号は異なる目標下りリンク信号に対応してもよい。
【００１９】
すなわち、実際に適用される場合、端末機器は異なる上りリンク信号の送信電力を確定する際、異なる目標下りリンク信号を用いて下りリンクパス損失の推定等を行うことができる。
【００２０】
例えば、ＰＵＳＣＨ信号及びＰＵＣＣＨ信号の場合、それぞれ異なる目標下りリンク信号に対応する、例えば、異なるＣＳＩ−ＲＳリソースに対応してもよい。
【００２１】
以下、図１に示す実施例の各部分の具体的実現をそれぞれ詳細に説明する。
【００２２】
一）端末機器は下りリンクパス損失の推定を行うための目標下りリンク信号を確定する  好ましくは、端末機器が下りリンクパス損失の推定を行うための目標下りリンク信号を確定する前に、ネットワーク側からの第１の指示情報を受信してもよく、第１の指示情報は端末機器が下りリンクパス損失推定を利用して上りリンク信号の送信電力を得るか否かを指示するためのものであり、第１の指示情報は前記端末機器が下りリンクパス損失推定を利用して上りリンク信号の送信電力を得ることを指示する場合、端末機器はまた下りリンクパス損失の推定を行うための目標下りリンク信号を確定してもよい。
【００２３】
例えば、ネットワーク側は第１の指示情報によって、端末機器が上りリンクパス損失推定か、下りリンクパス損失推定を利用して上りリンク信号の送信電力を得ることを指示することができる。
【００２４】
上りリンクパス損失の推定値は一般的にネットワーク側が端末機器に指示し、下りリンクパス損失の推定値は端末機器が測定して得る。ネットワーク側が上りリンクパス損失と下りリンクパス損失が相反することを確定する場合、下りリンクパス損失推定を利用して上りリンク信号の送信電力を得るように端末機器に指示してもよい。
【００２５】
別の例として、ネットワーク側は実際の必要に応じて、第１の指示情報によって、端末機器が下りリンクパス損失推定を利用して上りリンク信号の送信電力を得ることができるか否かを指示できる。第１の指示情報は、端末機器が下りリンクパス損失推定を利用して上りリンク信号の送信電力を得ることを指示する場合、端末機器は下りリンクパス損失推定を利用して上りリンク信号の送信電力を得ることができる、すなわち上りリンク信号の送信電力を更新する、そうでない場合、端末機器は前に確定された送信電力に基づき上りリンク信号を送信する、すなわちネットワーク側が、更新できることを通知するまで、上りリンク信号の送信電力を更新しない。
【００２６】
端末機器が下りリンクパス損失の推定を行うための目標下りリンク信号を確定する方式は、少なくとも以下の２種を含む。
【００２７】
１）方式１
端末機器はネットワーク側からの第２の指示情報を受信し、第２の指示情報に基づき下りリンクパス損失の推定を行うための目標下りリンク信号を確定する。
【００２８】
第２の指示情報には目標下りリンク信号のインデックス情報が付随されてもよく、当該インデックス情報は前記目標下りリンク信号の予め設定された複数の下りリンク信号におけるインデックスを指示するためのものであり、これにより、端末機器は前記インデックス情報に基づき、下りリンクパス損失の推定を行うための目標下りリンク信号を知ることができる。
【００２９】
第２の指示情報は上位層シグナリングによってベアラされてもよければ、下りリンク制御情報（ＤＣＩ、Ｄｏｗｎｌｉｎｋ  Ｃｏｎｔｒｏｌ  Ｉｎｆｏｒｍａｔｉｏｎ）シグナリングによってベアラされてもよい。
【００３０】
例えば、ネットワーク側は上位層シグナリングによって複数のＣＳＩ−ＲＳリソースを予め設定し、そのうちの、下りリンクパス損失の推定を行うための１つ又は複数のＣＳＩ−ＲＳリソースのインデックスを指示することができる。
【００３１】
別の例として、ネットワーク側は複数の同期信号ブロック（ＳＳ  Ｂｌｏｃｋ）を送信し、そのうちの、下りリンクパス損失の推定を行うための同期信号ブロックのインデックスを指示することができ、端末機器は前記インデックスに対応する同期信号ブロックにおける同期信号又は同期信号ブロックにおける物理報知チャネル（ＰＢＣＨ、Ｐｈｙｓｉｃａｌ  Ｂｒｏａｄｃａｓｔ  Ｃｈａｎｎｅｌ）のＤＭＲＳに基づき下りリンクパス損失の推定を行うことができる。
【００３２】
ネットワーク側は下りリンクパス損失の推定のための複数の目標下りリンク信号を指示することができ、前記複数の目標下りリンク信号は異なる設定を用いる同一タイプの下りリンク信号、例えばＣＳＩ−ＲＳ又はＳＳであってもよければ、異なるタイプの信号、例えばＣＳＩ−ＲＳ及びＭＲＳを含んでもよい。
【００３３】
２）方式２
端末機器はＭの候補の下りリンク信号に対して測定を行い、測定結果に基づき、その中から目標下りリンク信号としてＮの候補の下りリンク信号を選択することができる。
【００３４】
Ｍは１より大きい正の整数で、ＮはＭ以下の正の整数であり、Ｍ及びＮの取る値はいずれも実際の必要に応じて具体的に確定することができ、好ましくは、Ｎの取る値を１とする。
【００３５】
Ｍの候補の下りリンク信号は、ネットワーク側によって予め設定される、下りリンクパス損失の推定を行うための複数の下りリンク信号、例えば、複数のＣＳＩ−ＲＳリソースであってよい。
【００３６】
又は、Ｍの候補の下りリンク信号はネットワーク側と予め取り決めた複数の下りリンク信号、例えば、取り決められたリソース位置で伝送される複数の同期信号ブロックにおける同期信号であってよい。
【００３７】
端末機器は、Ｍの候補の下りリンク信号の受信品質に対してそれぞれ測定を行い、その中から目標下りリンク信号として受信品質が最も優れたＮの候補の下りリンク信号を選択することができる。
【００３８】
好ましくは、受信品質とは、参照信号受信品質（ＲＳＲＱ、Ｒｅｆｅｒｅｎｃｅ  Ｓｉｇｎａｌ  Ｒｅｃｅｉｖｉｎｇ  Ｑｕａｌｉｔｙ）を指してもよい。
【００３９】
又は、端末機器はＭの候補の下りリンク信号の受信電力に対してそれぞれ測定を行い、その中から目標下りリンク信号として受信電力が最大のＮの候補の下りリンク信号を選択することができる。
【００４０】
好ましくは、受信電力とは、参照信号受信電力（ＲＳＲＰ、Ｒｅｆｅｒｅｎｃｅ  Ｓｉｇｎａｌ  Ｒｅｃｅｉｖｉｎｇ  Ｐｏｗｅｒ）を指してもよい。
【００４１】
端末機器は目標下りリンク信号としてＮの候補の下りリンク信号を選択した後、さらに、目標下りリンク信号のインデックス情報をネットワーク側に報告することにより、ネットワーク側は選択された目標下りリンク信号を知ることができる。
【００４２】
例えば、ネットワーク側が予め複数のＣＳＩ−ＲＳリソースを設定する場合、端末機器はそのうちの、下りリンクパス損失の推定のために用いるＣＳＩ−ＲＳリソースのインデックス情報を報告することができる。
【００４３】
また、端末機器はネットワーク側に対して目標下りリンク信号のインデックス情報を報告すると同時に、目標下りリンク信号の測定結果をネットワーク側に報告することもできる。
【００４４】
例えば、端末機器は目標下りリンク信号のインデックス情報及び目標下りリンク信号に基づき測定したＲＳＲＰを上位層シグナリングによって共にネットワーク側に報告することができる。
【００４５】
又は、端末機器は目標下りリンク信号の測定結果のみをネットワーク側に報告することもできる。
【００４６】
二）端末機器は目標下りリンク信号に基づき下りリンクパス損失の推定を行って、下りリンクパス損失の推定値を得る
１）端末機器は目標下りリンク信号の受信電力及び送信電力に基づき、下りリンクパス損失の推定を行うことにより、下りリンクパス損失の推定値を得ることができる。
【００４７】
例えば、目標下りリンク信号の数量が１より大きい場合、端末機器は各目標下りリンク信号の受信電力の平均値を算出し、前記平均値及び各目標下りリンク信号の送信電力に基づき、下りリンクパス損失の推定値を確定するか、又は、端末機器はそれぞれの目標下りリンク信号の受信電力及び送信電力に基づきそれぞれの目標下りリンク信号に対応するパス損失の推定値を確定し、各目標下りリンク信号に対応するパス損失の推定値の平均を取ることにより、下りリンクパス損失の推定値を得ることができる。
【００４８】
目標下りリンク信号の数量が１である場合、端末機器は目標下りリンク信号の受信電力及び送信電力に基づき直接前記下りリンクパス損失の推定値を確定することができる。
【００４９】
目標下りリンク信号の送信電力はネットワーク側が下りリンクシグナリングによって予め端末機器に通知する、例えば、ＣＳＩ−ＲＳリソースの設定情報に付随させて端末機器に通知してもよい。
【００５０】
一般的に、目標下りリンク信号の数量が１より大きい場合、複数の目標下りリンク信号の送信電力は同一であり、当然ながら、場合によって、異なってもよい。
【００５１】
パス損失の推定値は一般にｄＢで表示され、受信電力がＰ１で、送信電力がＰ２であるとすると、パス損失の推定値は以下のように表すことができる。
ＰＬ（ｄＢ）＝１０＊ｌｇ（Ｐ１／Ｐ２）（ｄＢ）        （１）
ここで、ＰＬはパス損失の推定値を表す。
【００５２】
２）端末機器は直近確定された上りリンク信号を送信するためのビームに基づき、目標下りリンク信号を受信するための受信ビームを確定し、受信された目標下りリンク信号に基づき下りリンクパス損失の推定を行うこともできる。
【００５３】
例えば、端末機器は直近１回の上りリンク信号の送信に用いるビームフォーミング重みを、目標下りリンク信号を受信する受信フォーミング重みとすることにより、目標下りリンク信号を受信した受信電力を測定して、下りリンクパス損失の推定値を算出するために用いることができる。
【００５４】
前記上りリンク信号とは、１０３及び１０４における上りリンク信号、又はネットワーク側が端末機器に指示する上りリンク信号を指してもよい。
【００５５】
別の例として、端末機器は予め送信ビームと受信ビームとの対応関係を確定し、送信ビーム及び前記対応関係に基づき受信ビームを確定することもできる。
【００５６】
３）端末機器は最新の受信されたチャネルサウンディング参照信号リソース指示（ＳＲＩ、ＳＲＳ  Ｒｅｓｏｕｒｃｅ  Ｉｎｄｉｃａｔｉｏｎ）情報によって指示されるＳＲＳリソースにおいてＳＲＳ信号を送信するために用いる送信ビームに基づき、目標下りリンク信号を受信するための受信ビームを確定し、受信された目標下りリンク信号に基づき下りリンクパス損失の推定を行うこともできる。
【００５７】
ＳＲＩは一般にネットワーク側が、上りリンクデータの伝送をスケジューリングするＤＣＩによって端末機器に指示する。
【００５８】
ＳＲＩは端末機器が前にＳＲＳを送信するために用いる複数のＳＲＳリソースにおける目標ＳＲＳリソースを指示するためのものである。
【００５９】
例えば、端末機器は直近受信された上りリンクデータをスケジューリングするＤＣＩにおけるＳＲＩに基づき、ＳＲＩによって指示されるＳＲＳリソース及び当該ＳＲＳリソースにおいてＳＲＳ信号を送信するために用いるビームフォーミング重みを確定し、当該重みを目標下りリンク信号を受信する受信フォーミング重みとすることにより、目標下りリンク信号を受信した受信電力を測定して、下りリンクパス損失の推定値を算出するために用いることができる。
【００６０】
４）端末機器は目標下りリンク信号の一部のアンテナポートに基づき下りリンクパス損失の推定を行うこともできる。
【００６１】
例えば、目標下りリンク信号における１つ又は２つのアンテナポートに基づき下りリンクパス損失の推定を行い、具体的にどのアンテナポートを選択するかは、実際の必要に応じて確定することができる。
【００６２】
三）端末機器は下りリンクパス損失の推定値に基づき上りリンク信号の送信電力を確定する
下りリンクパス損失の推定値を得た後、一般に、端末機器は以下の式により上りリンク信号の送信電力を得ることができる。
【００６３】
Ｐｔ＝ｍｉｎ｛Ｐｍａｘ，ａ＊ＰＬ＋ｂ｝（ｄＢ）        （２）
ここで、Ｐｔは送信電力を表し、Ｐｍａｘは上りリンクで許容される最大送信電力を表し、ＰＬは下りリンクパス損失の推定値を表し（ｄＢは単位）、ａはパス損失補償係数を表し、一般にネットワーク側が端末機器に指示し、ｂはその他の電力制御パラメータを表し、ｂを得る方法は従来の技術である。
【００６４】
ただし、式（２）で、上りリンクパス損失の推定値と下りリンクパス損失の推定値は同一であると仮定されるが、実際に適用される場合、両者は異なる可能性が高いため、式（２）に対し若干書き換えを行う必要がある。
【００６５】
好ましくは、端末機器はまず、下りリンクパス損失の推定値に基づき上りリンクパス損失の推定値を確定し、次に、上りリンクパス損失の推定値に基づき上りリンク信号の送信電力を確定することができる。
【００６６】
例えば、ネットワーク側は予めパス損失オフセット値を設定してもよく、端末機器は下りリンクパス損失の推定値及びパス損失オフセット値に基づき上りリンクパス損失の推定値を算出することができる。
【００６７】
好ましくは、次の関係を有してもよい：ＰＬ＿ＵＬ＝ＰＬ＿ＤＬ＋ｋ        （３）
ここで、ＰＬ＿ＵＬは上りリンクパス損失の推定値を表し、ＰＬ＿ＤＬは下りリンクパス損失の推定値を表し、ｋはパス損失オフセット値を表す。
【００６８】
式（３）に従ってＰＬ＿ＵＬを算出した後、ＰＬ＿ＵＬを式（２）のＰＬと入れ替えて、Ｐｔを算出する。
【００６９】
四）端末機器は送信電力に基づき上りリンク信号を送信する
端末機器は上りリンク信号の送信電力を確定した後、当該送信電力に基づき上りリンク信号を送信することができる。
【００７０】
好ましくは、端末機器は目標下りリンク信号を受信するために用いる受信ビームに基づき、上りリンク信号を送信するために用いる送信ビームを確定し、次に、前記送信ビームによって上りリンク信号を送信してもよい。
【００７１】
例えば、目標下りリンク信号を受信するために用いる受信フォーミング重みを、上りリンク信号を送信するために用いる送信ビームフォーミング重みとすることにより、上りリンク信号を送信することができる。
【００７２】
これにより、端末機器が目標下りリンク信号を受信するために用いる受信ビームと、上りリンク信号を送信するために用いる送信ビームとは基本的に一致するようになり、推定された下りリンクパス損失と上りリンクパス損失はほぼ一致し、得られた下りリンクパス損失を上りリンク電力制御のために用いることができる。
【００７３】
以上は、図１に示される方法の実施例に関する説明となる。
【００７４】
図１に示される方法の実施例において、主に端末機器の角度から本発明による技術的解決手段を説明しているが、ネットワーク側機器の角度からみると、ネットワーク側機器は目標下りリンク信号を送信することにより、端末機器が目標下りリンク信号に基づき下りリンクパス損失の推定を行い、下りリンクパス損失の推定結果に基づき上りリンク信号の送信電力を確定することができる。
【００７５】
ただし、目標下りリンク信号はネットワーク側機器が下りリンクコマンドによって端末機器に指示する。
【００７６】
好ましくは、ネットワーク側機器は端末機器に対して第１の指示情報を送信してもよく、第１の指示情報は端末機器が下りリンクパス損失推定を利用して上りリンク信号の送信電力を得るか否かを指示するためのものである。
【００７７】
例えば、ネットワーク側機器は第１の指示情報によって、端末機器が上りリンクパス損失推定か下りリンクパス損失推定を利用して上りリンク信号の送信電力を得ることを指示することができる。
【００７８】
別の例として、ネットワーク側機器は実際の必要に応じて、第１の指示情報によって、端末機器が下りリンクパス損失推定を利用して上りリンク信号の送信電力を得ることができるか否かを指示できる。
【００７９】
続いて、ネットワーク側機器は端末機器に対して第２の指示情報を送信してもよく、第２の指示情報は下りリンクパス損失の推定を行うための目標下りリンク信号を指示するためのものである。
【００８０】
第２の指示情報には目標下りリンク信号のインデックス情報が付随されてもよい。
【００８１】
例えば、ネットワーク側機器は上位層シグナリングによって、予め複数のＣＳＩ−ＲＳリソースを設定し、そのうちの、下りリンクパス損失の推定を行うための１つ又は複数のＣＳＩ−ＲＳリソースのインデックスを指示することができる。
【００８２】
別の例として、ネットワーク側機器は複数の同期信号ブロックを送信し、そのうちの、下りリンクパス損失の推定を行うための同期信号ブロックのインデックスを指示することができる。
【００８３】
ネットワーク側機器は下りリンクパス損失の推定のための複数の目標下りリンク信号を指示することができ、前記複数の目標下りリンク信号は異なる設定を用いる同一タイプの下りリンク信号、例えばＣＳＩ−ＲＳ又はＳＳであってもよければ、異なるタイプの信号、例えばＣＳＩ−ＲＳ及びＭＲＳを含んでもよい。
【００８４】
また、ネットワーク側機器は予め下りリンクパス損失の推定を行うための複数の下りリンク信号、例えば、複数のＣＳＩ−ＲＳリソースを設定するか、又は、端末機器と予め複数の下りリンク信号を取り決める、例えば、取り決められたリソース位置で伝送される複数の同期信号ブロックにおける同期信号とすることができ、これにより、端末機器は上記複数の下りリンク信号から目標下りリンク信号として少なくとも１つを選択することができる。
【００８５】
ネットワーク側機器は目標下りリンク信号を送信する際、直近の上りリンク信号の受信に用いる受信ビームに基づき、目標下りリンク信号を送信するために用いる送信ビームを確定し、前記送信ビームを利用して目標下りリンク信号を送信することができる。
【００８６】
例えば、直近の上りリンク信号の受信に用いる受信フォーミング重みを、目標下りリンク信号を送信するために用いる送信ビームフォーミング重みとすることにより、目標下りリンク信号を送信することができる。
【００８７】
端末機器は目標下りリンク信号に基づき下りリンクパス損失の推定を行って、下りリンクパス損失の推定値を得ることができ、下りリンクパス損失の推定値に基づき上りリンク信号の送信電力を確定し、確定した送信電力に基づき上りリンク信号を送信することができ、これに対応して、ネットワーク側機器は端末機器によって送信される上りリンク信号を受信する。
【００８８】
前記目標下りリンク信号は、ＣＳＩ−ＲＳ、ＭＲＳ、ＳＳ、ＰＴＲＳ、ＤＭＲＳ等を含んでもよい。
【００８９】
前記上りリンク信号は、ＰＵＳＣＨ、ＰＵＣＣＨ、ＳＲＳ等を含んでもよい。
【００９０】
異なる上りリンク信号は異なる目標下りリンク信号に対応してもよい。
【００９１】
ネットワーク側機器の具体的実現は、図１に示される方法の実施例の関連する説明を参照できるため、詳細な説明は省略される。
【００９２】
以上は、方法の実施例に関する説明となり、以下、機器の実施例により、本発明による技術的解決手段をさらに説明する。
【００９３】
図２は、本発明による端末機器の実施例の構成を概略的に示す図である。図２に示すように、下りリンク信号確定ユニット２０１と、下りリンクパス損失推定ユニット２０２と、送信電力確定ユニット２０３と、上りリンク信号送信ユニット２０４とを含む。
【００９４】
ただし、下りリンク信号確定ユニット２０１は、下りリンクパス損失の推定を行うための目標下りリンク信号を確定するために用いられる。
【００９５】
下りリンクパス損失推定ユニット２０２は、目標下りリンク信号に基づき下りリンクパス損失の推定を行って、下りリンクパス損失の推定値を得るために用いられる。
【００９６】
送信電力確定ユニット２０３は、下りリンクパス損失の推定値に基づき上りリンク信号の送信電力を確定するために用いられる。
【００９７】
上りリンク信号送信ユニット２０４は、送信電力に基づき上りリンク信号を送信するために用いられる。
【００９８】
前記目標下りリンク信号は、ＣＳＩ−ＲＳ、ＭＲＳ、ＳＳ、ＰＴＲＳ、ＤＭＲＳ等を含んでもよい。
【００９９】
前記上りリンク信号は、ＰＵＳＣＨ、ＰＵＣＣＨ、ＳＲＳ等を含んでもよい。
【０１００】
異なる上りリンク信号は異なる目標下りリンク信号に対応してもよい。
【０１０１】
すなわち、実際に適用される場合、端末機器は異なる上りリンク信号の送信電力を確定する際、異なる目標下りリンク信号を用いて下りリンクパス損失の推定等を行うことができる。
【０１０２】
例えば、ＰＵＳＣＨ信号及びＰＵＣＣＨ信号の場合、それぞれ異なる目標下りリンク信号に対応してもよい。
【０１０３】
以下、図２に示される各ユニットの具体的実現をそれぞれ説明する。
【０１０４】
一）下りリンク信号確定ユニット２０１
好ましくは、下りリンク信号確定ユニット２０１は下りリンクパス損失の推定を行うための目標下りリンク信号を確定する前に、ネットワーク側からの第１の指示情報を受信してもよく、第１の指示情報は端末機器が下りリンクパス損失推定を利用して上りリンク信号の送信電力を得るか否かを指示するためのものである。
【０１０５】
第１の指示情報は端末機器が下りリンクパス損失推定を利用して上りリンク信号の送信電力を得ることを指示する場合、さらに、下りリンク信号確定ユニット２０１は下りリンクパス損失の推定を行うための目標下りリンク信号を確定できる。
【０１０６】
その一つの方式として、下りリンク信号確定ユニット２０１はネットワーク側からの第２の指示情報を受信し、第２の指示情報に基づき下りリンクパス損失の推定を行うための目標下りリンク信号を確定する。
【０１０７】
第２の指示情報には目標下りリンク信号のインデックス情報が付随されてもよく、当該インデックス情報は前記目標下りリンク信号の予め設定された複数の下りリンク信号におけるインデックスを指示するためのものであり、これにより、下りリンク信号確定ユニット２０１は前記インデックス情報に基づき、下りリンクパス損失の推定を行うための目標下りリンク信号を知ることができる。
【０１０８】
例えば、ネットワーク側は上位層シグナリングによって予め複数のＣＳＩ−ＲＳリソースを設定し、そのうちの、下りリンクパス損失の推定を行うための１つ又は複数のＣＳＩ−ＲＳリソースのインデックスを指示することができる。
【０１０９】
別の例として、ネットワーク側は複数の同期信号ブロックを送信し、そのうちの、下りリンクパス損失の推定を行うための同期信号ブロックのインデックスを指示することができる。
【０１１０】
ネットワーク側は下りリンクパス損失の推定のための複数の目標下りリンク信号を指示することができ、前記複数の目標下りリンク信号は異なる設定を用いる同一タイプの下りリンク信号、例えばＣＳＩ−ＲＳ又はＳＳであってもよければ、異なるタイプの信号、例えばＣＳＩ−ＲＳ及びＭＲＳを含んでもよい。
【０１１１】
下りリンク信号確定ユニット２０１が下りリンクパス損失の推定を行うための目標下りリンク信号を確定することの別の方式として、下りリンク信号確定ユニット２０１はＭの候補の下りリンク信号に対して測定を行い、測定結果に基づき、その中から目標下りリンク信号としてＮの候補の下りリンク信号を選択することとしてもよい。
【０１１２】
ただし、Ｍは１より大きい正の整数で、ＮはＭ以下の正の整数である。
【０１１３】
Ｍの候補の下りリンク信号はネットワーク側によって予め設定された、下りリンクパス損失の推定のための複数の下りリンク信号、例えば、複数のＣＳＩ−ＲＳリソースであってよい。
【０１１４】
又は、Ｍの候補の下りリンク信号はネットワーク側と予め取り決めた複数の下りリンク信号、例えば、取り決められたリソース位置で伝送される複数の同期信号ブロックにおける同期信号であってよい。
【０１１５】
下りリンク信号確定ユニット２０１はＭの候補の下りリンク信号の受信品質に対してそれぞれ測定を行い、その中から目標下りリンク信号として受信品質が最も優れたＮの候補の下りリンク信号を選択することができる。
【０１１６】
又は、下りリンク信号確定ユニット２０１はＭの候補の下りリンク信号の受信電力に対してそれぞれ測定を行い、その中から目標下りリンク信号として受信電力が最大のＮの候補の下りリンク信号を選択することができる。
【０１１７】
下りリンク信号確定ユニット２０１は目標下りリンク信号としてＮの候補の下りリンク信号を選択した後、目標下りリンク信号のインデックス情報をネットワーク側に報告することもできる。
【０１１８】
また、下りリンク信号確定ユニット２０１はネットワーク側に目標下りリンク信号のインデックス情報を報告すると同時に、目標下りリンク信号の測定結果をネットワーク側に報告することもできる。
【０１１９】
さらに、下りリンク信号確定ユニット２０１は目標下りリンク信号の測定結果のみをネットワーク側に報告してもよい。
【０１２０】
二）下りリンクパス損失推定ユニット２０２
下りリンクパス損失推定ユニット２０２は確定した目標下りリンク信号に基づき下りリンクパス損失の推定を行うことにより、下りリンクパス損失の推定値を得ることができる。
【０１２１】
例えば、下りリンクパス損失推定ユニット２０２は目標下りリンク信号の受信電力及び送信電力に基づき、下りリンクパス損失の推定を行うことができる。
【０１２２】
ただし、目標下りリンク信号の数量が１より大きい場合、下りリンクパス損失推定ユニット２０２は各目標下りリンク信号の受信電力の平均値を算出し、前記平均値及び各目標下りリンク信号の送信電力に基づき、下りリンクパス損失の推定値を確定するか、又は、それぞれの目標下りリンク信号の受信電力及び送信電力に基づきそれぞれの目標下りリンク信号に対応するパス損失の推定値を確定し、各目標下りリンク信号に対応するパス損失の推定値の平均を取ることにより、下りリンクパス損失の推定値を得ることができる。
【０１２３】
目標下りリンク信号の送信電力はネットワーク側が下りリンクシグナリングによって予め下りリンクパス損失推定ユニット２０２に通知する、例えば、ＣＳＩ−ＲＳリソースの設定情報に付随させて下りリンクパス損失推定ユニット２０２に通知してもよい。
【０１２４】
一般的に、目標下りリンク信号の数量が１より大きい場合、複数の目標下りリンク信号の送信電力は同一であり、当然ながら、場合によって、異なってもよい。
【０１２５】
パス損失の推定値は一般にｄＢで表示され、受信電力がＰ１で、送信電力がＰ２であると仮定すると、パス損失の推定値は以下のように表すことができる。
ＰＬ（ｄＢ）＝１０＊ｌｇ（Ｐ１／Ｐ２）（ｄＢ）        （１）
ここで、ＰＬはパス損失の推定値を表す。
【０１２６】
下りリンクパス損失推定ユニット２０２は直近確定された上りリンク信号を送信するためのビームに基づき、目標下りリンク信号を受信するための受信ビームを確定し、受信された目標下りリンク信号に基づき下りリンクパス損失の推定を行うこともできる。
【０１２７】
例えば、下りリンクパス損失推定ユニット２０２は直近の上りリンク信号の送信に用いるビームフォーミング重みを、目標下りリンク信号を受信する受信フォーミング重みとすることにより、目標下りリンク信号を受信した受信電力を測定して、下りリンクパス損失の推定値を算出するために用いることができる。
【０１２８】
別の例として、下りリンクパス損失推定ユニット２０２は予め送信ビームと受信ビームとの対応関係を確定し、送信ビーム及び前記対応関係に基づき受信ビームを確定することもできる。
【０１２９】
下りリンクパス損失推定ユニット２０２は最新の受信されたＳＲＩ情報によって指示されるＳＲＳリソースにおいてＳＲＳ信号を送信するために用いる送信ビームに基づき、目標下りリンク信号を受信するための受信ビームを確定し、受信された目標下りリンク信号に基づき下りリンクパス損失の推定を行うこともできる。
【０１３０】
例えば、下りリンクパス損失推定ユニット２０２は直近受信された上りリンクデータをスケジューリングするＤＣＩにおけるＳＲＩに基づき、ＳＲＩによって指示されるＳＲＳリソース及び当該ＳＲＳリソースにおいてＳＲＳ信号を送信するために用いるビームフォーミング重みを確定し、当該重みを目標下りリンク信号を受信する受信フォーミング重みとすることにより、受信された目標下りリンク信号の受信電力を測定して、下りリンクパス損失の推定値を算出するために用いることができる。
【０１３１】
実際に適用される場合、下りリンクパス損失推定ユニット２０２は目標下りリンク信号の一部のアンテナポートに基づき下りリンクパス損失の推定を行う、例えば、目標下りリンク信号における１つ又は２つのアンテナポートに基づき下りリンクパス損失の推定を行うこともできる。
【０１３２】
三）送信電力確定ユニット２０３
送信電力確定ユニット２０３は下りリンクパス損失の推定値に基づき上りリンクパス損失の推定値を確定し、次に、上りリンクパス損失の推定値に基づき上りリンク信号の送信電力を確定することができる。
【０１３３】
例えば、ネットワーク側は予めパス損失オフセット値を設定することができ、送信電力確定ユニット２０３は下りリンクパス損失の推定値及びパス損失オフセット値に基づき上りリンクパス損失の推定値を算出することができる。
【０１３４】
好ましくは、次の関係を有してもよい：ＰＬ＿ＵＬ＝ＰＬ＿ＤＬ＋ｋ        （３）
ここで、ＰＬ＿ＵＬは上りリンクパス損失の推定値を表し、ＰＬ＿ＤＬは下りリンクパス損失の推定値を表す。
【０１３５】
式（３）に従ってＰＬ＿ＵＬを算出した後、ＰＬ＿ＵＬを式（２）のＰＬとして、式（２）に従ってＰｔを算出することで、上りリンク信号の送信電力を算出できる。
【０１３６】
四）上りリンク信号送信ユニット２０４
上りリンク信号の送信電力が確定された後、上りリンク信号送信ユニット２０４は当該送信電力に基づき上りリンク信号を送信することができる。
【０１３７】
好ましくは、上りリンク信号送信ユニット２０４は目標下りリンク信号を受信するために用いる受信ビームに基づき、上りリンク信号を送信するために用いる送信ビームを確定し、送信ビームによって上りリンク信号を送信してもよい。
【０１３８】
例えば、目標下りリンク信号を受信するために用いる受信フォーミング重みを、上りリンク信号を送信するために用いる送信ビームフォーミング重みとすることにより、上りリンク信号を送信することができる。
【０１３９】
以上は、端末機器の実施例に関する説明となり、本発明はさらに、ネットワーク側機器を開示する。
【０１４０】
図３は、本発明によるネットワーク側機器の実施例の構成を概略的に示す図である。図３に示すように、下りリンク信号送信ユニット３０１を含む。
【０１４１】
下りリンク信号送信ユニット３０１は、目標下りリンク信号を送信することにより、端末機器が目標下りリンク信号に基づき下りリンクパス損失の推定を行い、下りリンクパス損失の推定結果に基づき上りリンク信号の送信電力を確定するために用いられる。
【０１４２】
下りリンク信号送信ユニット３０１はさらに、目標下りリンク信号を下りリンクコマンドによって端末機器に指示するためにも用いられることができる。
【０１４３】
好ましくは、下りリンク信号送信ユニット３０１は目標下りリンク信号を送信する前に、端末機器に対して第１の指示情報を送信し、第１の指示情報は端末機器が下りリンクパス損失推定を利用して上りリンク信号の送信電力を得るか否かを指示するためのものである。
【０１４４】
下りリンク信号送信ユニット３０１は端末機器に対して第２の指示情報を送信することもでき、第２の指示情報は下りリンクパス損失の推定を行うための目標下りリンク信号を指示するためのものである。
【０１４５】
第２の指示情報には目標下りリンク信号のインデックス情報が付随されてもよい。
【０１４６】
例えば、上位層シグナリングによって、予め複数のＣＳＩ−ＲＳリソースを設定し、そのうちの下りリンクパス損失の推定を行うための１つ又は複数のＣＳＩ−ＲＳリソースのインデックスを指示することができる。
【０１４７】
別の例として、複数の同期信号ブロックを送信し、そのうちの下りリンクパス損失の推定を行うための同期信号ブロックのインデックスを指示することができる。
【０１４８】
下りリンクパス損失の推定のための複数の目標下りリンク信号を指示することができ、前記複数の目標下りリンク信号は異なる設定を用いる同一タイプの下りリンク信号、例えばＣＳＩ−ＲＳ又はＳＳであってもよければ、異なるタイプの信号、例えばＣＳＩ−ＲＳ及びＭＲＳを含んでもよい。
【０１４９】
下りリンク信号送信ユニット３０１は目標下りリンク信号を送信する際、直近の上りリンク信号の受信に用いる受信ビームに基づき、目標下りリンク信号を送信するために用いる送信ビームを確定し、前記送信ビームを利用して目標下りリンク信号を送信することができる。
【０１５０】
端末機器は目標下りリンク信号に基づき下りリンクパス損失の推定を行って、下りリンクパス損失の推定値を得ることができ、下りリンクパス損失の推定値に基づき上りリンク信号の送信電力を確定し、確定した送信電力に基づき上りリンク信号を送信することができる。
【０１５１】
これに対応して、図３に示すように、ネットワーク側機器はさらに、上りリンク信号受信ユニット３０２を含んでもよい。
【０１５２】
上りリンク信号受信ユニット３０２は、端末機器によって送信される上りリンク信号を受信するために用いられる。
【０１５３】
前記目標下りリンク信号は、ＣＳＩ−ＲＳ、ＭＲＳ、ＳＳ、ＰＴＲＳ、ＤＭＲＳ等を含んでもよい。
【０１５４】
前記上りリンク信号は、ＰＵＳＣＨ、ＰＵＣＣＨ、ＳＲＳ等を含んでもよい。
【０１５５】
異なる上りリンク信号は異なる目標下りリンク信号に対応してもよい。
【０１５６】
図２及び図３に示される機器の実施例の具体的動作プロセスは上記方法の実施例の関連する説明を参照できるため、詳細な説明は省略される。
【０１５７】
本発明はさらに、上りリンク電力制御システムを開示する。
【０１５８】
図４は、本発明による上りリンク電力制御システムの実施例の構成を概略的に示す図である。図４に示すように、端末機器４０１と、ネットワーク側機器４０２とを含む。
【０１５９】
ただし、端末機器４０１の具体的実現は図２に示される実施例の関連する説明を参照でき、ネットワーク側機器４０２の具体的実現は図３に示される実施例の関連する説明を参照できるため、詳細な説明は省略される。
【０１６０】
理解できることであろうが、本発明によって提供されるいくつかの実施例で開示されている機器及び方法等は、その他の形態によっても実現できる。例えば、上記のように説明される機器の実施例は例示的なものに過ぎず、例えば、前記各ユニットの区分は、論理上の機能区分に過ぎず、実現させる際には別の形態での区分も可能である。
【０１６１】
分離される部品として説明される前記ユニットは、物理的に分離されるものであっても、そうでないものであってもよく、ユニットとして表示される各部品は、物理的なユニットであってもそうでなくてもよい、すなわち、同一の場所に配置されるものであっても、複数のネットワークユニットに配置されるものであってもよい。実際の必要に応じてそのうちの一部のユニットを選択するか、又は全てのユニットで本実施例による技術的解決手段の目的を達成できる。
【０１６２】
また、本発明の各実施例で各機能ユニットは１つの処理ユニットに集積されてもよければ、各ユニットは単独で物理的に存在するか、又は２つ以上のユニットは１つのユニットに集積されてもよい。上記集積されたユニットは、ハードウェアの形式で実現されてもよければ、ハードウェアとソフトウェアによる機能ユニットの形式で実現されてもよい。
【０１６３】
上記ソフトウェアによる機能ユニットの形式で集積を実現したユニットは、１つのコンピュータ可読記憶媒体に記憶されてもよい。上記ソフトウェアによる機能ユニットは、１つのコンピュータ機器（パソコン、サーバ、又はネットワーク機器等であってよい）又はプロセッサ（ｐｒｏｃｅｓｓｏｒ）が本発明の各実施例に記載の方法の全て又は一部のステップを実行するためのいくつかのコマンドを含むように、１つの記憶媒体に記憶される。上記記憶媒体には、ＵＳＢメモリ、モバイルハードディスク、リードオンリーメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等、プロクラムコードを記憶可能な各種の媒体が含まれる。
【０１６４】
以上記載される内容は本発明の好ましい実施例に過ぎず、本発明はこれに限定されるものではなく、本発明の趣旨と範囲においてなされる変更、同等な置換、改良等は、いずれも本発明の保護範囲に含まれるものとする。
【図１】
0006978511.tif 000002
【図２】
0006978511.tif 000003
【図３】
0006978511.tif 000004
【図４】
0006978511.tif 000005